(57)【要約】【課題】所望の計測データを比較的短時間の内に確実に収集することが容易な計測データ収集システムを得ること。【解決手段】計測対象物について所定の項目を計測して計測結果を計測データとして記憶する計測装置２０Ａと、計測装置から計測データが転送されるデータ収集装置４０Ａと、計測装置とデータ収集装置との間でのデータ転送に用いられるリムーバブルメディア４５とを備えた計測データ収集システム５０を構成するにあたり、収集対象の計測データを指定するデータ指定情報をリムーバブルメディアに保存する収集データ指定部３５をデータ収集装置に設け、リムーバブルメディアに保存されたデータ指定情報に基づいて収集対象の計測データをリムーバブルメディアに保存する指定データ取得部１５を計測装置に設ける。【選択図】        図１
2008242649.tif 000002
【特許請求の範囲】
【請求項１】
計測対象物について所定の項目を計測して計測結果を計測データとして記憶する計測装置と、前記計測装置から前記計測データが転送されるデータ収集装置と、前記計測装置と前記データ収集装置との間でのデータ転送に用いられるリムーバブルメディアとを備えた計測データ収集システムであって、
前記データ収集装置は、収集対象の計測データを指定するデータ指定情報を作成して前記リムーバブルメディアに保存する収集データ指定部を有し、
前記計測装置は、前記リムーバブルメディアに保存された前記データ指定情報に基づいて前記収集対象の計測データを前記リムーバブルメディアに保存する指定データ取得部を有する、
ことを特徴とする計測データ収集システム。
【請求項２】
前記計測装置は、前記リムーバブルメディアに保存する前記計測データを選択する出力データ選択部を更に有することを特徴とする請求項１に記載の計測データ収集システム。
【請求項３】
複数台の計測装置を備え、前記複数台の計測装置の各々と前記データ収集装置とが少なくとも１つのリムーバブルメディアを用いてデータ転送することを特徴とする請求項１または２に記載の計測データ収集システム。
【発明の詳細な説明】
【技術分野】
【０００１】
本発明は、計測装置とデータ収集装置とリムーバブルメディアとを備えた計測データ収集システムに関する。
【背景技術】
【０００２】
通信回線の敷設がコスト等の理由から問題となる場所に設置された計測装置から計測データを収集する方法の１つとして、計測データを自動的に記憶する機能を上記の計測装置に付加し、計測装置が設置されている現地に作業担当者が赴いて当該計測装置に記憶されている計測データをリムーバブルメディアに保存して持ち帰り、所定のデータ収集装置により読み取るというものがある。
【０００３】
例えば特許文献１に記載された脈波計のようにユーザの指示により計測を開始する計測装置では、リムーバブルメディアに保存する計測データをユーザが取捨選択できるように、リムーバブルメディアに出力すべき計測データを選択する出力データ選択部が一般に設けられる。
【０００４】
一方、計測対象の機器の機器状態や運転負荷状態等を計測するために設置された計測装置のようにユーザの指定によらずに常時計測を行う計測装置では、原則的に全ての計測データを収集することが必要であるので、リムーバブルメディアに保存する際にユーザによる計測データの取捨選択は基本的に行われない。ただし、このような計測装置においても、ユーザが計測データを取捨選択できるように上記の出力データ選択部が設けられることがある。この場合、計測データの取捨選択は、データ収集装置で必要な計測データについての情報を紙等に印刷したり控えたりして記録した後に、現地で当該記録を見ながら作業担当者が出力データ選択部を操作して、所望の計測データをリムーバブルメディアに出力させることで行われる。
【０００５】
【特許文献１】特開平５−２４５１１９号公報
【発明の開示】
【発明が解決しようとする課題】
【０００６】
計測対象の機器の機器状態や運転負荷状態等を常時計測する計測装置では、その計測データが比較的短期間で膨大な量になることがある。このため、全ての計測データをリムーバブルメディアに保存しようとすると比較的長時間を要することもあり、特にリムーバブルメディアに保存する計測データを逐一選択しなければならない計測システムにおいては、作業担当者の現地での作業時間の大半がリムーバブルメディアへの計測データの保存に充てられることもある。
【０００７】
勿論、データ収集装置に収集したい計測データのみについての情報を紙等に印刷したり控えたりして記録した後に、当該記録を見ながら計測装置の出力データ選択部を操作して所望の計測データをリムーバブルメディアに出力させれば、全ての計測データをリムーバブルメディアに出力する場合に比べて作業時間を短縮させることが可能である。しかしながら、収集したい計測データを紙等に印刷したり控えたりして記録するときにヒューマンエラーが起こり、計測データの収集漏れや重複収集が起こることがある。また、常時計測を行う上述の計測装置による計測データのうちでデータ収集装置で必要とする計測データは、前回のデータ収集時に作業担当者がリムーバブルメディアへの計測データの保存作業を実施した後に計測された全ての計測データであることが一般的であり、このような場合においては、収集すべき計測データの取捨選択はデータ収集装置側で判断可能であることが多い。
【０００８】
本発明は上記に鑑みてなされたものであり、所望の計測データを比較的短時間の内に確実に収集することが容易な計測データ収集システムを得ることを目的とする。
【課題を解決するための手段】
【０００９】
上記の目的を達成する本発明の計測データ収集システムは、計測対象物について所定の項目を計測して計測結果を計測データとして記憶する計測装置と、計測装置から計測データが転送されるデータ収集装置と、計測装置とデータ収集装置との間でのデータ転送に用いられるリムーバブルメディアとを備えた計測データ収集システムであって、データ収集装置は、収集対象の計測データを指定するデータ指定情報を作成してリムーバブルメディアに保存する収集データ指定部を有し、計測装置は、リムーバブルメディアに保存されたデータ指定情報に基づいて収集対象の計測データをリムーバブルメディアに保存する指定データ取得部を有することを特徴とするものである。
【発明の効果】
【００１０】
本発明の計測データ収集システムでは、データ収集装置の収集データ指定部で上記のデータ指定情報を作成してリムーバブルメディアに保存するという作業を１回行えば、当該リムーバブルメディアを計測装置に接続するだけで指定データ取得部がデータ指定情報に対応した計測データをリムーバブルメディアに自動的に保存するので、ヒューマンエラーが起こる確率が従来に比べて低減される。その結果として、計測データの取得漏れの発生が抑えられる。また、計測装置に記憶されている計測データの中からデータ指定情報に基づいた所定の計測データのみをリムーバブルメディアに保存させることができ、不要な計測データまでをもリムーバブルメディアに保存するという無駄が省けるので、計測装置が設置されている現地での作業時間を短縮させることができる。これらの理由から、本発明の計測データ収集システムでは、所望の計測データを比較的短時間の内に確実に収集することが容易である。
【発明を実施するための最良の形態】
【００１１】
以下、本発明の計測データ収集システムの実施の形態について、図面を参照して詳細に説明する。なお、本発明は以下に説明する実施の形態に限定されるものではない。
【００１２】
実施の形態１．
図１は、計測データ収集システムの一例を概略的に示すブロック図である。同図に示す計測データ収集システム５０は、計測装置２０Ａと、データ収集装置４０Ａと、メモリカード等のリムーバブルメディア４５とを備えている。
【００１３】
上記の計測装置２０Ａは、通信回線の敷設がコスト等の理由から問題となる場所、例えば僻地の変電所等に設置され、計測対象物（図示せず）について所定の項目を計測して計測結果を計測データとして記憶する。また、必要時にリムーバブルメディア４５に計測データを保存する。そのために、この計測装置２０Ａは、上記の項目についての計測を行う計測部２と、計測部２による計測データが保存される記憶部４と、記憶部４に保存されている計測データ等をリムーバブルメディア４５に出力するデータ出力部６と、リムーバブルメディア４５に保存されている情報を読み取るデータ入力部８と、各部の動作を制御する中央処理部１０とを有している。
【００１４】
この計測装置２０Ａの構成要素のうち、記憶部４、データ出力部６、データ入力部８および中央処理部１０は、互いに協同して、データ収集装置４０Ａが作成したデータ指定情報に対応する所定の計測データをリムーバブルメディア４５に保存する指定データ取得部１５として機能する。
【００１５】
上記のデータ収集装置４０Ａは、計測装置２０Ａからリムーバブルメディア４５を用いて転送されてきた計測データを読み取り、保存することで、当該計測データを収集する。また、収集対象の計測データを指定するデータ指定情報を作成してリムーバブルメディア４５に保存する。そのために、このデータ収集装置４０Ａは、リムーバブルメディア４５に保存されている計測データ等の情報を読み取るデータ入力部２２と、データ入力部２２で読み取った計測データや未収集の計測データについての情報等が保存される記憶部２４とを有している。さらには、記憶部２４に保存されているデータや情報等を表示する表示部２６と、収集対象の計測データを表示部２６の画面上で選択するデータ選択部２８と、データ指定情報をリムーバブルメディア４５に保存するデータ出力部３０と、各部の動作を制御すると共に、データ選択部２８による選択結果を基に収集対象の計測データを指定するデータ指定情報を作成する中央処理部３２とを備えている。
【００１６】
このデータ収集装置４０Ａの構成要素のうち、表示部２６、データ選択部２８、データ出力部３０および中央処理部３２は、互いに協同して、収集対象の計測データを指定するデータ指定情報を作成してリムーバブルメディア４５に保存する収集データ指定部３５として機能する。
【００１７】
上述の構成を有する計測データ収集システム５０では、計測装置２０Ａが設置されている現地に作業担当者が赴いて計測装置２０Ａに記憶されている計測データをリムーバブルメディア４５に保存して持ち帰り、リムーバブルメディア４５に保存された計測データをデータ収集装置４０Ａで読み取ることでデータの収集を行う。このとき、データ収集装置４０Ａの収集データ指定部３５により上記のデータ指定情報を作成してリムーバブルメディア４５に予め保存しておくことで、データ指定情報に基づいた計測データのみを計測装置２０Ａからリムーバブルメディア４５に自動的に保存させることができる。
【００１８】
以下、データ指定情報をリムーバブルメディア４５に予め保存してからデータの収集を行う場合を例にとり、計測データ収集システム５０による計測データの収集手順について図２〜図４を参照しつつ詳述する。下記の説明は、図１で用いた参照符号を適宜引用して行う。
【００１９】
図２は、データ収集装置４０Ａの収集データ指定部３５によりデータ指定情報をリムーバブルメディア４５に保存する際の手順の一例を示すフローチャートである。同図に示すように、データ指定情報をリムーバブルメディア４５に保存するにあたってはステップＳ１、ステップＳ２およびステップＳ３がこの順番で行われる。
【００２０】
上記のステップＳ１では、データ入力部２２およびデータ出力部３０の各々にリムーバブルメディア４５を接続される。ステップＳ２では、データ収集装置４０Ａのユーザがデータ選択部２８を操作して、例えば表示部２６の画面上で収集対象の計測データを選択する。このとき、中央処理部３２は記憶部２４にアクセスして未収集の計測データについての情報を得、この情報を基に所定の選択画面を表示部２６に表示させる。
【００２１】
ステップＳ３では、ステップＳ２で選択された収集対象の計測データを元に中央処理部３２が上述のデータ指定情報を作成し、データ出力部３０の動作を制御して当該データ指定情報をリムーバブルメディア４５に保存する。このステップＳ３まで行うことにより、データ指定情報をリムーバブルメディア４５に保存することができる。なお、未収集の計測データについての情報の他に、収集済みの計測データについて該計測データが収集済みであることを示す情報も加味した案内画面がステップＳ２で表示部２６に表示されるように、データ収集装置４０Ａを構成することもできる。
【００２２】
図３は、計測装置２０Ａの指定データ取得部１５により所定の計測データをリムーバブルメディア４５に保存する際の手順の一例を示すフローチャートである。同図に示すように、指定データ取得部１５により所定の計測データをリムーバブルメディア４５に保存するにあたっては、ステップＳ１１からステップＳ１６までがこの順番で行われる。
【００２３】
上記のステップＳ１１では、データ出力部６およびデータ入力部８の各々にリムーバブルメディア４５が接続される。ステップＳ１２では、リムーバブルメディア４５の接続に伴って中央処理部１０がデータ入力部８を介してリムーバブルメディア４５にアクセスし、データ指定情報を読み取る。ステップＳ１３では、データ指定情報により指定されている計測データが記憶部４に保存されているか否かを中央処理部１０が判断する。
【００２４】
ステップＳ１３で上記の計測データが記憶部４に保存されていないと判断されたときにはステップＳ１４に進み、計測データの収集ができなかったことその理由と共に示す収集失敗情報を中央処理部１０が作成し、データ出力部６の動作を制御して当該収集失敗情報をリムーバブルメディア４５に保存する。このステップＳ１４を行うことで、計測装置２０Ａからの計測データの保存作業が自動的に終了する。
【００２５】
一方、データ指定情報により指定されている計測データが記憶部４に保存されているとステップＳ１３で判断されたときにはステップＳ１５に進み、中央処理部１０が記憶部４にアクセスして当該計測データを読み出し、データ出力部６の動作を制御して当該計測データをリムーバブルメディア４５に保存してからステップＳ１６に進む。
【００２６】
ステップＳ１６では、リムーバブルメディア４５に保存した計測データがどのようなものであるのかを示す取得データ情報を中央処理部１０が作成し、データ出力部６の動作を制御して当該取得データ情報をリムーバブルメディア４５に保存する。このステップＳ１６を行うことで、計測装置２０Ａからの計測データの保存作業が自動的に終了する。
【００２７】
図４は、リムーバブルメディア４５に保存された計測データをデータ収集装置４０Ａに保存する際の手順の一例を示すフローチャートである。同図に示すように、リムーバブルメディア４５に保存された計測データをデータ収集装置４０Ａに保存するにあたっては、ステップＳ２１からステップＳ２６までがこの順番で行われる。
【００２８】
上記のステップＳ２１では、データ入力部２２にリムーバブルメディア４５が接続される。ステップＳ２２では、データ収集装置４０Ａのユーザがデータ選択部２８を操作して、例えば表示部２６の画面上で計測データの読取りを指示する。このとき、中央処理部３２は記憶部２４にアクセスして所定の情報を得、この情報を基に所定の案内画面を表示部２６に表示させる。
【００２９】
ステップＳ２３では、中央処理部３２がデータ入力部２２を介してリムーバブルメディア４５にアクセスし、当該リムーバブルメディア４５に収集失敗情報が保存されているか否かを判断する。このステップＳ２３で収集失敗情報が保存されていると判断されたときにはステップＳ２４に進み、中央処理部３２が収集失敗の旨とその理由、例えばデータ指定情報で指定された計測データは停電等で取得不能であったことや、データ指定情報で指定された計測データは保存期間外の計測データであったこと等を表示部２６に表示させる。このステップＳ２４を行うことで、リムーバブルメディア４５からの計測データの保存作業が終了する。
【００３０】
一方、ステップＳ２３で収集失敗情報が保存されていないと判断されたときにはステップＳ２５に進み、中央処理部３２がデータ入力部２２を介してリムーバブルメディア４５から計測データおよび取得データ情報を読み取った後にステップＳ２６に進む。ステップＳ２６では、ステップＳ２５で読み取った計測データを中央処理部３２が記憶部２４の所定のアドレスに保存する。当該計測データを記憶部２４のどのアドレスに保存するかは、ステップＳ２５で読み取った取得データ情報に基づいて中央処理部３２が適宜判断する。このステップＳ２６を行うことで、リムーバブルメディア４５からデータ収集装置４０Ａへの計測データの保存作業が終了する。
【００３１】
上述のように、計測データ収集システム５０では、収集データ指定部３５でデータ指定情報を作成してリムーバブルメディア４５に保存するという作業を１回行えば、当該リムーバブルメディア４５を計測装置２０Ａに接続するだけで、データ指定情報に対応した計測データが指定データ取得部１５によりリムーバブルメディア４５に自動的に保存される。そのため、ヒューマンエラーが起こる確率が従来に比べて低減され、計測データの取得漏れの発生が抑えられる。また、収集対象の計測データをデータ収集装置４０Ａで指定するので、計測装置で指定する場合に比べ、収集対象の転送データを的確に把握し、確実に指定することが容易である。この点からも、計測データの取得漏れの発生が抑えられる。
【００３２】
さらには、計測装置２０Ａに記憶されている計測データの中からデータ指定情報に基づいた所定の計測データのみがリムーバブルメディア４５に保存されるので、不要な計測データまでをもリムーバブルメディア４５に保存するという無駄が省け、計測装置２０Ａが設置されている現地での作業時間を短縮させることができる。計測装置２０Ａが設置されている現地での作業担当者の作業を、計測装置２０Ａとリムーバブルメディア４５との接続および接続解除の２つの作業のみにすることも可能である。
【００３３】
これらの理由から、計測データ収集システム５０では、所望の計測データを比較的短時間の内に確実に収集することが容易である。データ収集装置４０Ａに収集された計測データは、データ選択部２８を操作して表示部２６に表示させることが可能であると共に、必要に応じて集計することも可能であり、当該計測データは例えば計測対象物や該計測対象物を備えた設備等の保守、管理等に用いられる。
【００３４】
実施の形態２．
図５は、計測データ収集システムの他の例を概略的に示すブロック図である。同図に示す計測データ収集システム５５は、図１に示した計測装置２０Ａに代えて計測装置２０Ｂを備えているという点を除き、図１に示した計測データ収集システム５０と同様の構成を有している。そして、計測装置２０Ｂは、出力データ選択部１２を有しているという点を除き、図１に示した計測装置２０Ａと同様の構成を有している。図５に示した構成要素のうちで図１に示した構成要素と共通するものについては、図１で用いた参照符号と同じ参照符号を付してその説明を省略する。
【００３５】
上記の計測装置２０Ｂを構成している出力データ選択部１２は、記憶部４に保存されている計測データの中からリムーバブルメディア４５に保存すべき計測データを選択する際に用いられるものであり、作業担当者により操作される。例えば、リムーバブルメディア４５に保存されているデータ指定情報により指定される計測データの他に、ある計測項目についての所定の期間内の計測データも収集することが急遽必要になった場合には、計測装置２０Ｂが設置されている現地で作業担当者が出力データ選択部１２を操作することで、収集することが急遽必要になった上記の計測データをリムーバブルメディア４５に追加保存することができる。
【００３６】
上述の構成を有する計測データ収集システム５５は、実施の形態１で説明した計測データ収集システム５０と同様の技術的効果を奏する他に、急な事態にも対応することが可能であるので利便性が高まるという技術的効果も奏する。
【００３７】
実施の形態３．
図６は、計測データ収集システムの更に他の例を概略的に示すブロック図である。同図に示す計測データ収集システム６０は、１台のデータ収集装置と複数台の計測装置とが少なくとも１つのリムーバブルメディアを用いてデータ転送を行うものであり、図示の例では、１台のデータ収集装置４０Ｂと４台の計測装置２０ａ〜２０ｄとが４つのリムーバブルメディア４５ａ〜４５ｄを用いてデータ転送を行う。
【００３８】
各計測装置２０ａ〜２０ｄは、例えば図１に示した計測装置２０Ａまたは図５に示した計測装置２０Ｂと同様の構成を有しており、個々の計測装置２０ａ〜２０ｄに１つずつリムーバブルメディア４５ａ，４５ｂ，４５ｃまたは４５ｄが割り当てられている。各計測装置２０ａ〜２０ｄから計測データが転送されるデータ収集装置４０Ｂは、例えば図１に示したデータ収集装置４０Ａと同様の構成とすることができる。ただし、各計測装置２０ａ〜２０ｄは、自己の識別情報をリムーバブルメディアに保存する機能を有しており、データ収集装置４０Ｂは、各リムーバブルメディア４５ａ〜４５ｄに対応する計測装置の識別情報を該リムーバブルメディア４５ａ〜４５ｄに保存する機能を有している。
【００３９】
このように構成された計測データ収集システム６０は、実施の形態１で説明した計測データ収集システム５０と同様の技術的効果を奏する他に、１台のデータ収集装置４０Ｂによって複数の計測装置２０ａ〜２０ｄの計測データを管理することができるので計測データの管理効率を高め易いという技術的効果も奏する。
【００４０】
以上、本発明の計測データ収集システムについて実施の形態を挙げて説明したが、前述のように、本発明は上述の形態に限定されるものではない。例えば、データ収集装置４０Ａ（図１参照）は、該データ収集装置４０Ａのユーザがデータ選択部２８を操作して表示部２６の画面上で収集対象の計測データを選択した結果に基づいてデータ指定情報を作成するのではなく、記憶部２４に保存されている計測データを基に中央処理部３２が未計測の計測データを自動的に抽出し、その結果に基づいて当該データ指定情報を作成するように構成することもできる。
【００４１】
また、リムーバブルメディアに保存された計測データをデータ収集装置に保存するにあたっては、図４に示したステップＳ２１〜Ｓ２６に代えて図７に示すステップＳ２１からステップＳ２６までがこの順番で行われるように、計測データ収集システムを構成することもできる。図７に示すステップＳ２１、ステップＳ２２、ステップＳ２４、ステップ２５、およびステップＳ２６は、それぞれ、図４に示した該当番号のステップと同様にして行われるので、ここではその説明を省略する。
【００４２】
図７に示す例では、ステップＳ２２を行った後に、データ収集装置の中央処理部がデータ入力部を介してリムーバブルメディアにアクセスし、当該リムーバブルメディアに取得データ情報が保存されているか否かを判断するステップＳ２３Ａが行われる。このステップＳ２３Ａで取得データ情報が保存されていると判断されたときにはステップＳ２５に進み、次いでステップＳ２６に進んだ後に処理を終了する。一方、ステップＳ２３Ａで取得データ情報が保存されていないと判断されたときにはステップＳ２３Ｂに進み、中央処理部がデータ入力部を介してリムーバブルメディアにアクセスして、当該リムーバブルメディアに収集失敗情報が保存されているか否かを判断する。このステップＳ２３Ｂで収集失敗情報が保存されていると判断されたときにはステップＳ２４に進み、中央処理部が収集失敗の旨とその理由を表示部に表示させ、その後に処理を終了する。一方、ステップＳ２３Ｂでリムーバブルメディアに収集失敗情報が保存されていないと判断されたときには、そのまま処理を終了する。
【００４３】
リムーバブルメディアに保存された計測データが図７に示した手順の下にデータ収集装置に保存されるように計測データ収集システムを構成すると、リムーバブルメディアに保存された計測データを図４に示した手順の下にデータ収集装置に保存する場合に比べ、取得データ情報がリムーバブルメディアに保存されていたときに必要となる手順が簡略化される。
【００４４】
実施の形態３で説明した計測データ収集システム６０（図６参照）のように１台のデータ収集装置と複数台の計測装置との間でリムーバブルメディアを用いてデータ転送する場合、データ転送に使用するリムーバブルメディアは少なくとも１つあればよく、その数を幾つにするかは適宜選定可能である。本発明の計測データ収集システムについては、上述したもの以外にも種々の変形、修飾、組み合わせ等が可能である。
【図面の簡単な説明】
【００４５】
【図１】本発明の計測データ収集システムの一例を概略的に示すブロック図である。
【図２】図１に示したデータ収集装置の収集データ指定部によりデータ指定情報をリムーバブルメディアに保存する際の手順の一例を示すフローチャートである。
【図３】図１に示した計測装置の指定データ取得部により所定の計測データをリムーバブルメディアに保存する際の手順の一例を示すフローチャートである。
【図４】リムーバブルメディアに保存された計測データを図１に示したデータ収集装置に保存する際の手順の一例を示すフローチャートである。
【図５】本発明の計測データ収集システムの他の例を概略的に示すブロック図である。
【図６】本発明の計測データ収集システムの更に他の例を概略的に示すブロック図である。
【図７】リムーバブルメディアに保存された計測データをデータ収集装置に保存する際の手順の他の例を示すフローチャートである。
【符号の説明】
【００４６】
１５  指定データ取得手段
２０Ａ，２０Ｂ，２０ａ〜２０ｄ  計測装置
３５  収集データ指定手段
４０Ａ，４０Ｂ  データ収集装置
４５  リムーバブルメディア
５０，５５，６０  計測データ収集システム
【図１】
2008242649.tif 000003
【図２】
2008242649.tif 000004
【図３】
2008242649.tif 000005
【図４】
2008242649.tif 000006
【図５】
2008242649.tif 000007
【図６】
2008242649.tif 000008
【図７】
2008242649.tif 000009